(57)【要約】【課題】ワイシャツなどを簡単にたたむことが出来、かつ、型崩れすることなく整形し、また、何着も重ねて平積みにしても崩れることがないハンガーを提供する。【解決手段】一対の離間するそれぞれのハンガー胴部縦軸（右（１２）、左（１３）に対して回転可能に取り付けられたハンガー肩受け部（右（１０）、左（１１））とハンガー胴部縦軸（右（１２）、左（１３））を吊るすためのフック（１）を設け、また、上部軸と下部軸に分割され互いに回転可能に構成されているハンガー胴部縦軸（右（１２）、左（１３））を設ける。ハンガー胴部縦軸（右（１２）、左（１３））の間に円弧上の輪郭の襟部（４）を設け、また、フック（１）が襟部（４）に対して回転可能に取り付けられており、かつ、襟部（４）に対して進退動可能であるフック（１）を設ける。【選択図】  図１
2004344445.tif 000002
【特許請求の範囲】
【請求項１】
一対の離間するそれぞれのハンガー胴部縦軸（右（１２）、左（１３）に対して回転可能に取り付けられたハンガー肩受け部（右（１０）、左（１１））とハンガー胴部縦軸（右（１２）、左（１３））を吊るすためのフック（１）を備えたハンガー。
【請求項２】
前記ハンガー胴部縦軸（右（１２）、左（１３））が上部軸と下部軸に分割され、互いに回転可能に構成されている請求項１記載のハンガー。
【請求項３】
前記ハンガー胴部縦軸（右（１２）、左（１３））の間に円弧上の輪郭の襟部（４）を備えている請求項１又は２に記載のハンガー。
【請求項４】
前記フック（１）が前記襟部（４）に対して回転可能に取り付けられており、前記フック（１）が前記襟部（４）に対して進退動可能である請求項３に記載のハンガー。
【発明の詳細な説明】
【０００１】
【発明の属する技術分野】
この発明は、ワイシャツなどを簡単にたたむことが出来、かつ、型崩れすることなく整形し、また、何着も重ねて平積みにしても崩れることがないハンガーに関するものである。
【０００２】
【従来の技術】
ワイシャツを家庭などでたたむ場合は、そのまま折り目にそってたたんでいた。商品として陳列する際は、型紙等をはさんでピンで留めていた。
【０００３】
【発明が解決しようとする課題】
そのために次のような欠点があった。
（イ）  ワイシャツは型紙がないとたたむのが難しく、すぐに型崩れをする。
（ロ）型紙をはさんで整形しても、何着も重ねて平積みすると、バランスを失って崩れてしまう。
本発明は、これらの欠点を解決するためになされたものである。
【０００４】
【課題を解決するための手段】
一対の離間するそれぞれのハンガー胴部縦軸（右（１２）、左（１３）に対して回転可能に取り付けられたハンガー肩受け部（右（１０）、左（１１））とハンガー胴部縦軸（右（１２）、左（１３））を吊るすためのフック（１）を設ける。上部軸と下部軸に分割され互いに回転可能に構成されているハンガー胴部縦軸（右（１２）、左（１３））を設ける。ハンガー胴部縦軸（右（１２）、左（１３））の間に円弧上の輪郭の襟部（４）を設ける。フック（１）が襟部（４）に対して回転可能に取り付けられており、かつ、襟部（４）に対して進退動可能であるフック（１）を設ける。本発明は、以上の構成からなる物干し器である。
【０００５】
【発明の実施の形態】
以下、本発明の実施の形態について説明する。後方向に回転軸（８，９）を中心にそれぞれ１８０度回転するハンガー肩受け部（１０，１１）、上方向に回転軸（１６，１７）を中心に１８０度回転するハンガー胴部（１９）を設ける。ワイシャツの襟が型崩れしないように襟部（４）を設け、フック（１）は回転軸（３）を中心に１８０度回転する。またフック（１）下部に設けた穴をフック下部棒（２）は貫通しており、長さを調節することが出来る。
【０００６】
たたみ終えた後、ハンガー肩受け部（１０，１１）及びハンガー胴部（１９）が留まるように、留め具（２０）をハンガーはめ込み部（６，７）にはめ込み、固定する。
【０００７】
また、留め具（２０）には差し込み棒（２２）を設ける。
本発明は以上のような構造で、これを使用する時は、ワイシャツ等をハンガーに吊るし、首まで全てボタンを留める。その後、平らな床面に後ろ向きに置く。ハンガー肩受け部（１０，１１）をそれぞれ、回転軸（８，９）及びハンガー胴部縦軸（１２，１３）を中心に反対方向に１８０度回転させ、さらに、ハンガー肩受け部（１０，１１）より先のワイシャツの腕の部分をそれぞれ下部に折る。その際に、ワイシャツの肩から胴の折り目はハンガー胴部縦軸（１２、１３）に沿い下方向に一直線となるようにする。その後、ワイシャツのハンガー胴部（１９）より下の部分及び腕の先の部分をハンガー胴部（１９）より折り返し、さらに、ハンガー胴部（１９）を回転軸（１６，１７）及びハンガー中心軸（１８）を中心に上方向に１８０度回転させ、ハンガー中心軸（１８）より下の部分を内側に折り込む。その後、留め具（２０）をハンガーはめ込み部（６，７）にはめ込み、ハンガー肩受け部（１０，１１）及びハンガー胴部（１９）が固定されるようにする。
【０００８】
ワイシャツの表面を上にし、フック（１）を回転軸（３）中心に１８０度回転させ、襟の内側にくるようにする。その際、フック下部棒（２）の長さを調節しフック（１）が襟の手前と接するようにし、襟の形状を保持する。また、複数のワイシャツを重ねて平積みにする場合には留め具（２０）の差し込み棒（２２）を回転軸（２１）を中心に９０度回転させ、差込穴（５）に差し込む。
【０００９】
【発明の効果】
（イ）  洗濯後、ワイシャツ等をハンガーに吊るし、乾燥後、そのままハンガーから外すことなくたたむことが出来る。
（ロ）  型紙が無くても、簡単にワイシャツをたたむことが出来る。
（ハ）  たたんだ後、全体及び襟について型崩れすることが無い。
（ニ）  重ねて何着も平積みしてもバランスを失って崩れることが無い。
（ホ）  通常のハンガーのようにワイシャツを広げてかけた状態でも、また、小さく折りたたんだ状態でも、吊り下げることが出来る。
【図面の簡単な説明】
【図１】本発明の斜視図
【図２】本発明の正面図（留め具（２０）を装着している状態）
【図３】本発明の正面図（留め具（２０）を装着していない状態）
【図４】本発明の左側面図（ハンガー部と留め具（２０）が分離している状態）
【図５】本発明の背面図（ワイシャツを着ている状態）
【図６】本発明の背面図（ワイシャツを着て、ハンガー肩受け部（１０，１１）をたたんでいる状態）
【図７】本発明の背面図（ワイシャツを着て、ハンガー肩受け部（１０，１１）をたたみ、かつ、ハンガー胴部（１９）をたたんでいる状態）
【図８】本発明の背面図（ワイシャツを着て、ハンガー肩受け部（１０，１１）、ハンガー胴部（１９）をたたみ、かつ、留め具（２０）を装着している状態）
【図９】本発明の正面図（ワイシャツを着て、ハンガー肩受け部（１０，１１）、ハンガー胴部（１９）をたたみ、留め具（２０）を装着し、かつ、フック（１）をたたんでいる状態）
【図１０】本発明の平面図（ワイシャツを着て、ハンガー肩受け部（１０，１１）、ハンガー胴部（１９）をたたみ、留め具（２０）を装着し、フック（１）をたたみ、かつ、差し込み棒（２２）を９０度回転させている状態）
【図１１】本発明の背面図（ハンガー肩受け部（右（１０）、左（１１））及びハンガー胴部（１９）の可動部を示す）
【図１２】本発明の平面図（フック（１）及びフック下部棒（２）の可動部を示す）
【符号の説明】
（１）フック
（２）フック下部棒
（３）回転軸
（４）襟部
（５）差込穴
（６）ハンガーはめ込み部（右）
（７）ハンガーはめ込み部（左）
（８）回転軸
（９）回転軸
（１０）ハンガー肩受け部（右）
（１１）ハンガー肩受け部（左）
（１２）ハンガー胴部縦軸（右）
（１３）ハンガー胴部縦軸（左）
（１６）回転軸
（１７）回転軸
（１４）回転軸
（１５）回転軸
（１６）回転軸
（１７）回転軸
（１８）ハンガー中心軸
（１９）ハンガー胴部
（２０）留め具
（２１）回転軸
（２２）差し込み棒
【図１】
2004344445.tif 000003
【図２】
2004344445.tif 000004
【図３】
2004344445.tif 000005
【図４】
2004344445.tif 000006
【図５】
2004344445.tif 000007
【図６】
2004344445.tif 000008
【図７】
2004344445.tif 000009
【図８】
2004344445.tif 000010
【図９】
2004344445.tif 000011
【図１０】
2004344445.tif 000012
【図１１】
2004344445.tif 000013
【図１２】
2004344445.tif 000014